(57)【要約】【課題】止水性能の低下を抑制することができる端子付き電線を提供する。【解決手段】端子付き電線４は、電線６０と、電線に対して巻き付けられて芯線６１および被覆を一体に覆う電線接続部１２を有する端子１と、電線接続部の内側面と芯線との間に介在する止水材２０と、を備える。電線接続部は、底部１４と、電線に巻き付けられて芯線および被覆を一体に覆う第一の加締片１５と、第一の加締片の外側に巻き付けられた第二の加締片１６と、を有する。電線接続部は、電線の軸方向における前側に位置し、芯線に対して圧着される芯線圧着部１２Ａと、後側に位置し、被覆に対して圧着される被覆圧着部と、を有する。芯線圧着部における底部の内側面は、第一の加締片の前端および止水材の前端の何れよりも後側に位置し、かつ芯線側に向けて突出しており、電線の軸方向と交差する方向に延在する突起２５を有する。【選択図】図９
2019029237.tif 000002
【特許請求の範囲】
【請求項１】
芯線と、前記芯線を覆う被覆とを有し、前記芯線の先端部分が前記被覆から露出している電線と、
前記電線に対して巻き付けられて前記芯線および前記被覆を一体に覆う電線接続部を有する端子と、
前記電線接続部の内側面と前記芯線との間に介在し、前記芯線の先端を覆う止水材と、
を備え、
前記電線接続部は、底部と、前記底部における幅方向の一端につながり、前記電線に巻き付けられて前記芯線および前記被覆を一体に覆う第一の加締片と、前記底部における幅方向の他端につながり、前記第一の加締片の外側に巻き付けられた第二の加締片と、を有し、
前記電線接続部は、前記電線の軸方向における前側に位置し、前記芯線に対して圧着される芯線圧着部と、前記電線の軸方向における後側に位置し、前記被覆に対して圧着される被覆圧着部と、を有し、
前記芯線圧着部における前記底部の内側面は、前記第一の加締片の前端および前記止水材の前端の何れよりも後側に位置し、かつ前記芯線側に向けて突出しており、前記電線の軸方向と交差する方向に延在する突起を有する
ことを特徴とする端子付き電線。
【請求項２】
前記芯線圧着部の内側面は、前記電線の軸方向と交差する方向に延在して前記芯線を取り巻く溝を有し、
前記止水材は、前記溝に入り込んでおり、
前記突起は、前記溝よりも後側に位置している
請求項１に記載の端子付き電線。
【請求項３】
前記芯線圧着部における前記底部の内側面は、更に、前記電線の軸方向に延在する第二の突起を有し、
前記突起は、前記第二の突起よりも前側に位置している
請求項１または２に記載の端子付き電線。
【発明の詳細な説明】
【技術分野】
【０００１】
本発明は、端子付き電線に関する。
【背景技術】
【０００２】
従来、止水材を用いた圧着端子がある。特許文献１には、電線の導体を圧着する導体圧着部と電線を被覆の外周から圧着する被覆圧着部とが連設され、電線に圧着される電線接続部が設けられた圧着端子と、導体と導体圧着部とを接触させる開口部を有するとともに圧着される導体と被覆を包囲する大きさを有して電線接続部と電線の間に介装される防水材とを備える圧着端子と電線の接続構造の技術が開示されている。
【先行技術文献】
【特許文献】
【０００３】
【特許文献１】特開２０１５−２０１２６９号公報
【発明の概要】
【発明が解決しようとする課題】
【０００４】
端子付き電線における止水性能の低下を抑制する点において、なお改良の余地がある。例えば、圧着時に電線が圧縮されると、芯線が電線接続部の開口に向けて伸張する。その結果、芯線の先端と開口との間の距離が不足して止水材による止水性能の低下を招く可能性がある。
【０００５】
本発明の目的は、止水性能の低下を抑制することができる端子付き電線を提供することである。
【課題を解決するための手段】
【０００６】
本発明の端子付き電線は、芯線と、前記芯線を覆う被覆とを有し、前記芯線の先端部分が前記被覆から露出している電線と、前記電線に対して巻き付けられて前記芯線および前記被覆を一体に覆う電線接続部を有する端子と、前記電線接続部の内側面と前記芯線との間に介在し、前記芯線の先端を覆う止水材と、を備え、前記電線接続部は、底部と、前記底部における幅方向の一端につながり、前記電線に巻き付けられて前記芯線および前記被覆を一体に覆う第一の加締片と、前記底部における幅方向の他端につながり、前記第一の加締片の外側に巻き付けられた第二の加締片と、を有し、前記電線接続部は、前記電線の軸方向における前側に位置し、前記芯線に対して圧着される芯線圧着部と、前記電線の軸方向における後側に位置し、前記被覆に対して圧着される被覆圧着部と、を有し、前記芯線圧着部における前記底部の内側面は、前記第一の加締片の前端および前記止水材の前端の何れよりも後側に位置し、かつ前記芯線側に向けて突出しており、前記電線の軸方向と交差する方向に延在する突起を有することを特徴とする。
【発明の効果】
【０００７】
本発明に係る端子付き電線は、芯線と、芯線を覆う被覆とを有し、芯線の先端部分が被覆から露出している電線と、電線に対して巻き付けられて芯線および被覆を一体に覆う電線接続部を有する端子と、電線接続部の内側面と芯線との間に介在し、芯線の先端を覆う止水材と、を備える。
【０００８】
電線接続部は、底部と、底部における幅方向の一端につながり、電線に巻き付けられて芯線および被覆を一体に覆う第一の加締片と、底部における幅方向の他端につながり、第一の加締片の外側に巻き付けられた第二の加締片と、を有する。電線接続部は、電線の軸方向における前側に位置し、芯線に対して圧着される芯線圧着部と、電線の軸方向における後側に位置し、被覆に対して圧着される被覆圧着部と、を有する。
【０００９】
芯線圧着部における底部の内側面は、第一の加締片の前端および止水材の前端の何れよりも後側に位置し、かつ芯線側に向けて突出しており、電線の軸方向と交差する方向に延在する突起を有する。本発明に係る端子付き電線によれば、前側に向けての芯線の伸びが突起によって抑制される。よって、本発明に係る端子付き電線は、止水性能の低下を抑制することができるという効果を奏する。
【図面の簡単な説明】
【００１０】
【図１】図１は、実施形態に係る圧着端子の圧着前の状態を示す斜視図である。
【図２】図２は、実施形態に係る圧着端子の圧着前の状態を示す側面図である。
【図３】図３は、実施形態に係る圧着端子の平面図である。
【図４】図４は、実施形態に係る圧着端子において止水材が貼付された状態を示す平面図である。
【図５】図５は、実施形態に係る圧着工程の説明図である。
【図６】図６は、底部に載置された電線を示す平面図である。
【図７】図７は、底部に載置された電線を示す断面図である。
【図８】図８は、実施形態に係る端子付き電線の斜視図である。
【図９】図９は、実施形態に係る端子付き電線の断面図である。
【図１０】図１０は、実施形態の第１変形例に係る圧着端子の平面図である。
【図１１】図１１は、実施形態の第２変形例に係る圧着端子の平面図である。
【発明を実施するための形態】
【００１１】
以下に、本発明の実施形態に係る端子付き電線につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１２】
［実施形態］
図１から図９を参照して、実施形態について説明する。本実施形態は、端子付き電線に関する。図１は、実施形態に係る圧着端子の圧着前の状態を示す斜視図、図２は、実施形態に係る圧着端子の圧着前の状態を示す側面図、図３は、実施形態に係る圧着端子の平面図、図４は、実施形態に係る圧着端子において止水材が貼付された状態を示す平面図、図５は、実施形態に係る圧着工程の説明図、図６は、底部に載置された電線を示す平面図、図７は、底部に載置された電線を示す断面図、図８は、実施形態に係る端子付き電線の斜視図、図９は、実施形態に係る端子付き電線の断面図である。
【００１３】
まず、本実施形態に係る圧着端子１について説明する。図１等に示す圧着端子１は、電線６０に対して圧着される端子である。圧着端子１は、電線６０と一体になった状態で相手側端子に対して電気的に接続される。圧着対象の電線６０は、端部の被覆６２が取り除かれて芯線６１が所定の長さ露出している。芯線６１は、複数本の素線の集合体であってもよく、同軸ケーブルのような単線であってもよい。圧着端子１は、電線６０の端部に圧着されることで、露出している芯線６１に対して電気的に接続される。
【００１４】
圧着端子１は、端子金具１０および止水材２０を有する。端子金具１０は、圧着端子１の主体部分である。端子金具１０は、母材としての導電性の金属板（例えば銅板、銅合金板）から形成される。端子金具１０は、母材に対する打ち抜き加工や折り曲げ加工等により、相手側端子や電線６０との接続が可能な所定の形状に形成される。端子金具１０は、端子接続部１１および電線接続部１２を有する。端子接続部１１は、相手側端子に対して電気的に接続される部分である。電線接続部１２は、電線６０に対して圧着される部分であり、芯線６１に対して電気的に接続される。
【００１５】
端子接続部１１と電線接続部１２との間には、連結部１３が設けられている。言い換えると、端子接続部１１と電線接続部１２とは連結部１３を介して連結されている。連結部１３は、側壁１３ａ，１３ａを有する。側壁１３ａ，１３ａは、端子接続部１１の側壁１１ａ，１１ａと、電線接続部１２の側壁であるバレル片部１５，１６とを繋ぐ。一方の側壁１３ａは、一方の側壁１１ａと第一バレル片部１５とを繋ぎ、他方の側壁１３ａは、他方の側壁１１ａと第二バレル片部１６とを繋ぐ。側壁１３ａの高さは、バレル片部１５，１６や側壁１１ａの高さよりも低くなっている。側壁１３ａの高さは、端子接続部１１から電線接続部１２へ向かうに従って低くなっている。
【００１６】
端子金具１０は、雄端子であっても雌端子であってもよい。端子接続部１１は、端子金具１０が雄端子である場合、雄型に成型され、端子金具１０が雌端子である場合、雌型に成型される。
【００１７】
圧着端子１の説明において、相手側端子との接続方向、すなわち相手側端子との挿入方向を第一方向Ｌと称する。第一方向Ｌは、圧着端子１の長手方向である。圧着端子１の幅方向を第二方向Ｗと称する。第二方向Ｗは、第一方向Ｌと直交する方向である。圧着端子１において、第一方向Ｌおよび第二方向Ｗの何れとも直交する方向を第三方向Ｈと称する。第三方向Ｈは、圧着端子１の高さ方向である。圧着端子１の説明において、第一方向Ｌにおける端子接続部１１側を「前側」と称し、第一方向Ｌにおける端子接続部１１側とは反対側を「後側」と称する。
【００１８】
成形工程において、圧着端子１は、平板な板状に成型され、この状態から、端子接続部成形工程において、端子接続部１１が図１に示すように筒状に形成される。端子接続部成形工程では、端子接続部１１に対する折り曲げ加工等がなされる。本実施形態の端子接続部１１は、断面形状が矩形の筒形状に形成される。電線接続部１２は、電線接続部成形工程において、断面形状がＵ字状となるように成型される。電線接続部成形工程では、電線接続部１２に対する折り曲げ加工等がなされる。また、電線接続部１２には、貼付工程において、止水材２０が貼付けられる。貼付工程は、例えば、電線接続部成形工程よりも前に実行される。ただし、貼付工程は、電線接続部成形工程の後で実行されてもよい。
【００１９】
図１および図３に示すように、電線接続部１２は、底部１４、第一バレル片部１５、および第二バレル片部１６を有する。底部１４は、Ｕ字状に形成された電線接続部１２の底壁となる部位である。底部１４には、圧着加工の際に電線６０の端部が載置される。第一バレル片部１５および第二バレル片部１６は、Ｕ字状に形成された電線接続部１２の側壁となる部位である。第一バレル片部１５および第二バレル片部１６は、底部１４における第二方向Ｗの端部につながっている。Ｕ字状に形成された電線接続部１２では、底部１４に電線６０の端部が載置されると、第一バレル片部１５および第二バレル片部１６が第二方向Ｗの両側から電線６０を囲む。
【００２０】
第一バレル片部１５および第二バレル片部１６は、底部１４側の基端から先端１５ａ,１６ａの端面までの長さが互いに等しくてもよく、一方の長さが他方の長さよりも長くてもよい。本実施形態の圧着端子１では、第一バレル片部１５における根元から先端１５ａまでの長さよりも、第二バレル片部１６における根元から先端１６ａまでの長さが大きい。第一バレル片部１５および第二バレル片部１６は、例えば、互いに重なり合いながら電線６０に対して巻き付けられる。
【００２１】
電線６０の端部は、電線接続部１２のＵ字の開口部、すなわち先端１５ａ，１６ａの隙間からＵ字状の内側の空間に挿入される。電線接続部１２は、電線６０の端部が挿入されやすいように形成されている。具体的には、電線接続部１２は、底部１４側から先端１５ａ，１６ａへ向かうに従って第一バレル片部１５と第二バレル片部１６との第二方向Ｗの間隔が広がっている。
【００２２】
電線接続部１２は、図２および図３に示すように、芯線圧着部１２Ａ、被覆圧着部１２Ｂ、および連結圧着部１２Ｃを有する。芯線圧着部１２Ａと被覆圧着部１２Ｂとの間に連結圧着部１２Ｃが介在している。第一バレル片部１５および第二バレル片部１６は、それぞれ圧着部１２Ａ，１２Ｃ，１２Ｂがこの順序で第一方向Ｌに沿って連続している一枚の片部である。
【００２３】
芯線圧着部１２Ａは、電線６０の先端の芯線６１に対して圧着される部位である。芯線圧着部１２Ａは、底部１４および各バレル片部１５，１６における最も連結部１３寄りの部位である。言い換えると、芯線圧着部１２Ａは、電線接続部１２において相手側端子との挿入方向の最も前側に位置している。被覆圧着部１２Ｂは、被覆６２の端部に対して圧着される部位である。被覆圧着部１２Ｂは、底部１４および各バレル片部１５，１６における最も連結部１３側から遠い側に位置する部位である。つまり、被覆圧着部１２Ｂは、電線接続部１２において相手側端子との挿入方向の最も後側に位置している。連結圧着部１２Ｃは、芯線圧着部１２Ａと被覆圧着部１２Ｂとを繋ぐ部位である。連結圧着部１２Ｃは、電線６０における芯線６１と被覆６２との境界部分に対して圧着される。
【００２４】
図３に示すように、電線接続部１２の内側面１２ｉ、すなわち電線６０を覆う側の壁面には、セレーション領域１７が設けられている。セレーション領域１７は、芯線６１を保持する芯線保持領域である。セレーション領域１７は、電線接続部１２の内側面１２ｉにおいて、芯線６１に対して巻き付けられる部分を含む領域である。セレーション領域１７には、複数の凹部、複数の凸部、または凹部と凸部の組み合わせが配置される。凹部や凸部は、電線接続部１２と芯線６１との接触面積を増やし、両者の密着強度を高める。本実施形態のセレーション領域１７は、矩形の領域である。
【００２５】
本実施形態のセレーション領域１７は、第一方向Ｌにおいて、芯線圧着部１２Ａの一部から被覆圧着部１２Ｂの一部までの範囲に設けられている。また、セレーション領域１７は、第二方向Ｗにおいて、第一バレル片部１５の先端部から第二バレル片部１６の中間部までの範囲に設けられている。セレーション領域１７には、複数の凹部１７ａが形成されている。凹部１７ａは、第一方向Ｌおよび第二方向Ｗに沿って配列されている。
【００２６】
図３に示すように、電線接続部１２の内側面１２ｉは、第一の突起２５、第二の突起２６、および溝２７，２８，２９を有する。第一の突起２５および第二の突起２６は、それぞれ内側面１２ｉにおける底部１４の領域に形成されている。以下の説明では、底部１４における芯線圧着部１２Ａに対応する部分を「前部１４Ａ」と称し、底部１４における被覆圧着部１２Ｂに対応する部分を「後部１４Ｃ」と称する。また、底部１４における連結圧着部１２Ｃに対応する部分を「中間部１４Ｂ」と称する。
【００２７】
溝２７，２８，２９は、止水材２０による止水性能を向上させる。電線６０に対して電線接続部１２が圧着されるときに、止水材２０が溝２７，２８，２９に入り込むことで、止水材２０と電線接続部１２との間の密着性が高まる。その結果、止水材２０による止水性能が向上すると共に、止水性能の経時的な低下が抑制される。溝２７，２８，２９は、セレーション領域１７を三方から囲んでいる。
【００２８】
第一の溝２７は、芯線圧着部１２Ａに形成されており、第二方向Ｗに延在している。より詳しくは、第一の溝２７は、第一バレル片部１５から前部１４Ａを経由して第二バレル片部１６まで延在している。本実施形態の第一の溝２７は、第一バレル片部１５における第二方向Ｗの先端部から第二バレル片部１６における第二方向Ｗの先端部まで延在している。第一の溝２７は、セレーション領域１７よりも前側に位置している。芯線圧着部１２Ａが電線６０の芯線６１に対して圧着されると、第一の溝２７が芯線６１を取り巻く。言い換えると、圧着後の芯線圧着部１２Ａにおいて、第一の溝２７は、芯線６１と対向する環状の溝となる。
【００２９】
第二の溝２８は、第二バレル片部１６に形成されており、第一方向Ｌに延在している。第二の溝２８は、第二バレル片部１６における第二方向Ｗの中間よりもやや先端１６ａ寄りに位置している。第二の溝２８は、第二方向Ｗにおいて、セレーション領域１７よりも先端１６ａ寄りに位置している。第二の溝２８は、第一の溝２７と第三の溝２９とをつないでいる。
【００３０】
第三の溝２９は、被覆圧着部１２Ｂに形成されており、第二方向Ｗに延在している。第三の溝２９は、第二バレル片部１６から後部１４Ｃを経由して第一バレル片部１５まで延在している。本実施形態の第三の溝２９は、第二バレル片部１６における先端１６ａの近傍から第一バレル片部１５の先端１５ａまで延在している。第三の溝２９は、三本の分岐溝２９ａ，２９ｂ，２９ｃを有する。三本の分岐溝２９ａ，２９ｂ，２９ｃは、第二バレル片部１６側の端部において互いにつながっており、かつ平行である。三本の分岐溝２９ａ，２９ｂ，２９ｃは、被覆圧着部１２Ｂにおける第一方向Ｌの中間から後端までの領域に形成されている。第三の溝２９は、第一方向Ｌにおいて、セレーション領域１７よりも後側に位置している。
【００３１】
第一の突起２５および第二の突起２６は、例えば、打ち出し加工によって形成される。第一の突起２５は、前部１４Ａに配置されており、第二方向Ｗに沿って延在している。第一の突起２５は、第一の溝２７よりも後側の位置に形成されている。本実施形態の第一の突起２５は、セレーション領域１７の前端部に形成されている。平面視における第一の突起２５の形状は、前側に向けて湾曲した湾曲形状である。第一の突起２５の湾曲形状は、例えば、円弧形状である。第一の突起２５の前端２５ｆは、第一の溝２７よりもわずかに後側に位置している。
【００３２】
第二の突起２６は、第一の突起２５よりも後側に配置されている。第二の突起２６は、前部１４Ａから中間部１４Ｂに亘って第一方向Ｌに沿って延在している。第二の突起２６において、第一方向Ｌの長さは、第二方向Ｗの幅よりも大きい。平面視における第二の突起２６の両端の形状は、湾曲形状である。本実施形態では、第一の突起２５の後端２５ｒは、第二の突起２６の前端２６ｆと第一方向Ｌにおいて略同じ位置にある。
【００３３】
ここで、芯線６１と、芯線６１に対して圧着された電線接続部１２との間に水が浸入してしまうことは好ましくない。例えば、芯線６１の金属材料と電線接続部１２の金属材料とがイオン化傾向の大きさの異なるものである場合、腐食の可能性がある。一例として、芯線６１の材料がアルミニウム、電線接続部１２の材料が銅である場合、芯線６１が腐食してしまう可能性がある。図１および図４に示すように、本実施形態の圧着端子１には止水材２０が設けられている。止水材２０は、電線接続部１２と芯線６１との間への水の浸入を抑制する。
【００３４】
止水材２０は、例えば、アクリル系粘着剤等の粘着剤を主とするシート状に形成された部材である。本実施形態の止水材２０としては、シート状の不織布に粘着剤を染み込ませて形成された粘着シートであって、両面に粘着効果を有するものが用いられる。
【００３５】
止水材２０は、例えば、図４に示す平板状の電線接続部１２の内側面１２ｉに対して貼り付けられる。止水材２０は、図４に示すように、所定形状に形成されており、第一止水部２１、第二止水部２２、および第三止水部２３を有する。第一止水部２１は、圧着完了後に第一バレル片部１５と第二バレル片部１６とが重なり合う部分を止水する。つまり、第一止水部２１は、互いに重なり合う第一バレル片部１５と第二バレル片部１６との間に挟み込まれてバレル片部１５，１６の間に止水領域を形成する。本実施形態の第一止水部２１は、第二バレル片部１６に配置されており、第一方向Ｌに沿って延在している。第一止水部２１は、第二の溝２８を含む領域に貼り付けられており、第二の溝２８を覆っている。
【００３６】
第二止水部２２は、芯線６１の先端よりも端子接続部１１側を止水する。第二止水部２２は、芯線圧着部１２Ａにおける端子接続部１１側の端部に配置されており、第二方向Ｗに沿って延在している。第二止水部２２の少なくとも一部は、芯線６１が載置される領域に設けられることが望ましい。第二止水部２２は、第一の溝２７および第一の突起２５を含む領域に貼り付けられており、第一の溝２７および第一の突起２５を覆っている。第二止水部２２は、第二の突起２６よりも前側に貼り付けられる。
【００３７】
第二止水部２２は、例えば、重なり合うバレル片部１５，１６の間に挟み込まれることにより、バレル片部１５，１６の隙間に止水領域を形成する。また、第二止水部２２は、圧着工程において相互に接触して密着することにより、芯線６１の先端よりも端子接続部１１側の隙間を塞ぐこともできる。第二止水部２２は、電線接続部１２と芯線６１との間への端子接続部１１側からの浸水を抑制する。
【００３８】
第三止水部２３は、電線接続部１２と被覆６２との隙間からの水の浸入を抑制する。第三止水部２３は、電線接続部１２における端子接続部１１側と反対側の端部、すなわち電線接続部１２の後部に配置されており、第二方向Ｗに沿って延在している。第三止水部２３は、第三の溝２９を含む領域に貼り付けられており、第三の溝２９を覆っている。第三止水部２３は、被覆６２と電線接続部１２との間に挟み込まれることにより、被覆６２と電線接続部１２との間に止水領域を形成する。
【００３９】
以上示した端子金具１０は、母材となる一枚の金属板に対するプレス工程および端子接続部成形工程を経て、図３に示す平板状の電線接続部１２を有する形態に加工される。その後の止水材貼付工程において、平板状の電線接続部１２に止水材２０が貼付される。しかる後、電線接続部成形工程において、電線接続部１２がＵ字状に形成される。
【００４０】
電線接続部１２は、図５に示すアンビル４０およびクリンパ５０によって電線６０に対して圧着される。アンビル４０およびクリンパ５０は、端子圧着装置１００の構成要素である。アンビル４０は、電線接続部１２を下方から支持する支持側の金型である。アンビル４０は電線接続部１２の底部１４の外側面を支持する。従って、電線接続部１２がアンビル４０によって支持されている状態で、第一バレル片部１５および第二バレル片部１６は、底部１４から斜め上方に向けて延出している。
【００４１】
クリンパ５０は、電線接続部１２および電線６０をアンビル４０との間に挟み込んで電線接続部１２を電線６０に対して圧着させる端子圧着用金型である。クリンパ５０は、アンビル４０の上方に配置されている。クリンパ５０は、アンビル４０に対して第三方向Ｈに沿って相対移動する。端子圧着装置１００は、クリンパ５０を第三方向Ｈに上下動させる駆動装置を有する。
【００４２】
クリンパ５０は、アンビル４０側とは反対側に向けて凹んだ凹状の加締め部５０ａを有する。加締め部５０ａは、クリンパ５０の下面に設けられた溝状の凹部である。加締め部５０ａは、第一壁面５１および第二壁面５２を有する。第一壁面５１は、第一バレル片部１５を案内する壁面である。第二壁面５２は、第二バレル片部１６を案内する壁面である。第一壁面５１および第二壁面５２は、第三方向Ｈに沿って延在している。
【００４３】
第一壁面５１は、第一裾部５３、第一中間部５４、および第一弧状部５５を有する。第二壁面５２は、第二裾部５６、第二中間部５７、および第二弧状部５８を有する。第一裾部５３は、第一壁面５１における最も入口側の部分、言い換えると第三方向Ｈにおける最も下側の部分である。第一弧状部５５は、第一壁面５１における最も奥側の部分、言い換えると第三方向Ｈにおける最も上側の部分である。第一中間部５４は、第一裾部５３と第一弧状部５５との間の部分である。第二裾部５６は、第二壁面５２における最も入口側の部分である。第二弧状部５８は、第二壁面５２における最も奥側の部分である。第二中間部５７は、第二裾部５６と第二弧状部５８との間の部分である。
【００４４】
第一裾部５３および第二裾部５６は、第二方向Ｗにおいて互いに対向している。第一裾部５３および第二裾部５６は、入口側へ向かうに従って互いに遠ざかるように湾曲している。クリンパ５０がアンビル４０に向けて下降していくと、第一裾部５３が第一バレル片部１５の先端１５ａに接触し、第二裾部５６が第二バレル片部１６の先端１６ａに接触する。第一裾部５３は、第一バレル片部１５を第二バレル片部１６側に向けて押圧する。第二裾部５６は、第二バレル片部１６を第一バレル片部１５側に向けて押圧する。第一裾部５３および第二裾部５６から受ける押圧力によって、第一バレル片部１５と第二バレル片部１６との間隔が狭められていく。
【００４５】
第一中間部５４および第二中間部５７は、第二方向Ｗにおいて互いに対向している。第一中間部５４および第二中間部５７は、それぞれ平面である。第一中間部５４および第二中間部５７は、奥側へ向かうに従って互いに近づくように傾斜している。第三方向Ｈに対する第一中間部５４および第二中間部５７の傾斜角度はわずかである。第一中間部５４および第二中間部５７は、第一バレル片部１５と第二バレル片部１６とが略平行となるように、第二方向Ｗの両側から被覆圧着部１２Ｂを押圧しながら支持する。
【００４６】
第一弧状部５５および第二弧状部５８は、第二方向Ｗにおいて互いに対向している。第一弧状部５５および第二弧状部５８は、第一方向Ｌから見た場合の形状が湾曲形状の凹状の曲面である。第一弧状部５５および第二弧状部５８は、加締め部５０ａの奥側へ向かうに従って互いに近づくように湾曲している。第一弧状部５５の端部５５ａは、第二弧状部５８の端部５８ａよりも加締め部５０ａの入口側に位置している。言い換えると、第二弧状部５８の端部５８ａは、第一弧状部５５の端部５５ａよりも上側に位置している。このように端部５５ａ，５８ａの位置が異なることで、圧着時に第一バレル片部１５が第二バレル片部１６よりも内側に入り込む。
【００４７】
第一弧状部５５と第二弧状部５８とは傾斜面５９によってつながっている。傾斜面５９は、第一弧状部５５の端部５５ａから第二弧状部５８の端部５８ａまで設けられている。傾斜面５９は、第一弧状部５５から第二弧状部５８へ向かうに従って加締め部５０ａの奥側へ向かうように傾斜している。
【００４８】
圧着工程において、電線接続部１２が電線６０に対して圧着される。圧着工程において、電線接続部１２の底部１４は、図５に示すようにアンビル４０の上面に載置される。電線６０は、底部１４の内側面に載置される（矢印Ｙ１）。電線６０は、例えば、図６および図７に示すように、芯線６１の先端６１ａが第一の突起２５よりも後側に位置するようにして底部１４に載置される。図６は、圧着工程において底部１４に載置された電線６０を示す平面図である。図７には、図６のVII−VII断面が示されている。図６に示すように、芯線６１の先端６１ａは、第一の突起２５における後側の湾曲部２５ａよりも後側に位置している。本実施形態の第一の突起２５の高さは、第二の突起２６の高さよりも大きい。第一の突起２５の高さは、例えば、芯線６１の半径程度の値とされてもよい。第一の突起２５の高さは、芯線６１の半径よりも大きくされてもよく、例えば、芯線６１の直径の２／３程度の値とされてもよい。
【００４９】
電線６０は、先端６１ａを湾曲部２５ａに押し当てるようにして底部１４に載置されてもよい。なお、本実施形態では、第一の突起２５が第二止水部２２によって覆われている。従って、電線６０は、第二止水部２２を間に挟んで先端６１ａを第一の突起２５に押し当てるようにして載置されることになる。
【００５０】
電線６０に対して電線接続部１２を圧着させる際に、端子圧着装置１００は、図５に矢印Ｙ２で示すように、クリンパ５０をアンビル４０に向けて下降させる。クリンパ５０の加締め部５０ａは、第一バレル片部１５および第二バレル片部１６に接触し、バレル片部１５，１６を第二方向Ｗの両側から押圧する。加締め部５０ａは、バレル片部１５，１６と摺動しながら下降していき、バレル片部１５，１６の間隔を狭めていく。
【００５１】
弧状部５５，５８は、バレル片部１５，１６を内側に向けて倒れ込ませる。第一弧状部５５は、第一バレル片部１５を第二バレル片部１６側に向けて案内し、第二バレル片部１６側に倒れ込ませる。第二弧状部５８は、第二バレル片部１６を第一バレル片部１５側に向けて案内し、第一バレル片部１５側に倒れ込ませる。第一バレル片部１５は、第二バレル片部１６に対して電線６０側に入り込み、電線６０に対して巻き付けられる。電線６０に対して巻き付けられた第一バレル片部１５は、電線６０の芯線６１および被覆６２を一体に覆う。第二バレル片部１６は、第一バレル片部１５の外側に巻き付けられる。電線６０に対して巻き付けられた電線接続部１２は、電線６０の芯線６１および被覆６２に対して圧着される。
【００５２】
ここで、電線接続部１２および電線６０は、圧着工程においてアンビル４０とクリンパ５０との間に挟まれて圧縮される。より詳しくは、電線６０の芯線６１は、第一バレル片部１５と底部１４との間で圧縮される。芯線６１の圧縮率は、第二の突起２６と第一バレル片部１５との間に挟み込まれた部分で一段と高くなる。圧縮された芯線６１は、前側に向けて伸びる。つまり、圧着工程において、芯線６１の先端６１ａは、電線接続部１２に対して相対的に前側に向けて移動しようとする。
【００５３】
ここで、本実施形態の電線接続部１２は、第一の突起２５を有している。第一の突起２５は、図７に示すように、第一方向Ｌにおいて芯線６１の先端６１ａと対向している。従って、芯線６１が伸びようとした場合に、第一の突起２５が先端６１ａに当接して前側に向けての芯線６１の伸びを抑制する。その結果、以下に説明するように、端子付き電線４における止水性能の低下が抑制される。
【００５４】
図８には、端子付き電線４が示されている。端子付き電線４では、端子圧着装置１００によって電線接続部１２が電線６０に対して巻き付けられている。電線接続部１２の後端からは、電線６０の被覆６２が突出している。図９には、図８のIX−IX断面が示されている。図９に示すように、第一バレル片部１５は、第二バレル片部１６よりも内側に位置しており、電線６０に対して巻き付けられている。止水材２０は、電線接続部１２の内側面と芯線６１との間に介在し、芯線６１の先端６１ａを覆っている。また、止水材２０は、芯線６１の外周面と電線接続部１２との間に介在して先端６１ａよりも後側への水の浸入を抑制する。第一の溝２７には、止水材２０が入り込んでいる。第一の溝２７に止水材２０が入り込むことで、止水材２０と電線接続部１２との密着性が高まる。
【００５５】
第一の突起２５は、圧着後の止水材２０の前端よりも後側に位置している。言い換えると、第一の突起２５よりも前側に止水材２０による止水層が形成されている。また、第一の突起２５は、圧着後の第一バレル片部１５の前端よりも後側に位置している。
【００５６】
本実施形態の端子付き電線４では、第一の突起２５によって、前側に向けての芯線６１の伸びが抑制されている。その結果、芯線６１の先端６１ａと芯線圧着部１２Ａの開口３０との距離Ｌ１が適切に確保される。開口３０は、芯線圧着部１２Ａにおける前側の開口である。距離Ｌ１は、芯線６１の先端６１ａから開口３０までの第一方向Ｌの距離である。第一の突起２５は、圧着工程において、前側に向けての芯線６１の伸びを抑制し、距離Ｌ１の低下を抑制する。その結果、芯線６１の先端６１ａよりも前側には、十分な厚さの止水材２０の層が形成される。よって、端子付き電線４における止水性能の低下が抑制される。
【００５７】
圧着工程において電線接続部１２および電線６０に対する押圧力が高くなると、図９に示すように、第一の突起２５が芯線６１に対して押し込まれる。第一の突起２５は、底部１４の他の部分よりも第一バレル片部１５側に向けて突出している。従って、第一の突起２５は、第一バレル片部１５との間に芯線６１を挟み込み、高い押圧力で芯線６１を保持することができる。よって、第一の突起２５は、前側に向けての芯線６１の伸びを効果的に抑制することができる。
【００５８】
また、第一の突起２５の形状は、図４に示すように、湾曲形状である。第一の突起２５は、芯線６１が第二方向Ｗに向けて広がることを抑制することができる。また、第一の突起２５は、電線６０が底部１４に載置されるときの位置決めを行い、電線６０の位置ずれを抑制することができる。
【００５９】
以上説明したように、本実施形態の端子付き電線４は、電線６０と、圧着端子１と、止水材２０と、を有する。電線６０は、芯線６１と、芯線６１を覆う被覆６２とを有し、芯線６１の先端部分が被覆６２から露出している。圧着端子１は、電線６０に対して巻き付けられて芯線６１および被覆６２を一体に覆う電線接続部１２を有する。止水材２０は、電線接続部１２の内側面と芯線６１との間に介在し、芯線６１の先端６１ａを覆う。
【００６０】
電線接続部１２は、底部１４と、第一バレル片部１５と、第二バレル片部１６と、を有する。第一バレル片部１５は、底部１４における幅方向の一端につながり、電線６０に巻き付けられて芯線６１および被覆６２を一体に覆う第一の加締片である。第二バレル片部１６は、底部１４における幅方向の他端につながり、第一バレル片部１５の外側に巻き付けられた第二の加締片である。
【００６１】
電線接続部１２は、電線６０の軸方向における前側に位置し、芯線６１に対して圧着される芯線圧着部１２Ａと、電線６０の軸方向における後側に位置し、被覆６２に対して圧着される被覆圧着部１２Ｂと、を有する。芯線圧着部１２Ａにおける底部１４の内側面は、第一の突起２５を有する。第一の突起２５は、第一バレル片部１５の前端および止水材２０の前端の何れよりも後側に位置し、かつ芯線６１側に向けて突出しており、電線６０の軸方向と交差する方向に延在している。
【００６２】
本実施形態の端子付き電線４は、第一の突起２５によって前側に向けての芯線６１の伸びを抑制することができる。よって、端子付き電線４は、止水性能の低下を抑制することができるという効果を奏する。
【００６３】
本実施形態の端子付き電線４において、第一の突起２５と芯線６１との間には、止水材２０が介在している。本実施形態では、止水材貼付工程において第一の突起２５に止水材２０が貼付されることで、第一の突起２５と芯線６１との間に止水材２０が介在している。ただし、これに代えて、圧着工程において第一の突起２５と芯線６１との間に止水材２０が入り込んでもよい。
【００６４】
本実施形態の芯線圧着部１２Ａの内側面１２ｉは、電線６０の軸方向と交差する方向に延在して芯線６１を取り巻く第一の溝２７を有する。止水材２０は、第一の溝２７に入り込んでいる。第一の突起２５は、第一の溝２７よりも後側に位置している。第一の溝２７よりも後側の位置において第一の突起２５が芯線６１の伸びを抑制することで、止水材２０による止水性能の低下が発生しにくい。
【００６５】
本実施形態の芯線圧着部１２Ａにおける底部１４の内側面１２ｉは、更に、電線６０の軸方向に延在する第二の突起２６を有する。第一の突起２５は、第二の突起２６よりも前側に位置している。第一の突起２５は、第二の突起２６と第一バレル片部１５との間で圧縮された芯線６１が前側へ向けて伸びることを効果的に抑制することができる。
【００６６】
［実施形態の第１変形例］
実施形態の第１変形例について説明する。図１０は、実施形態の第１変形例に係る圧着端子の平面図である。実施形態の第１変形例に係る第一の突起２５は、直線形状である点で上記実施形態の第一の突起２５と異なる。
【００６７】
図１０に示すように、第二方向Ｗに沿って直線状に延在している。第一の突起２５は、第一の溝２７と第二の突起２６との間に形成されている。第二止水部２２は、上記実施形態（図４参照）と同様に、第一の溝２７および第一の突起２５を含む領域に貼り付けられ、第一の溝２７および第一の突起２５を覆う。
【００６８】
［実施形態の第２変形例］
実施形態の第２変形例について説明する。図１１は、実施形態の第２変形例に係る圧着端子の平面図である。実施形態の第２変形例に係る第一の突起２５は、ガイド部を有する点で上記第１変形例の第一の突起２５と異なる。
【００６９】
図１１に示すように、第２変形例に係る第一の突起２５は、本体部２５ｂおよびガイド部２５ｃ，２５ｃを有する。本体部２５ｂは、第二方向Ｗに沿って直線状に延在している。ガイド部２５ｃは、本体部２５ｂの両端にそれぞれつながっている。ガイド部２５ｃは、本体部２５ｂから後側に向けて第一方向Ｌに延在している。第一方向Ｌにおけるガイド部２５ｃの後端の位置は、第二の突起２６の前端２６ｆの位置と略同じである。ガイド部２５ｃは、圧着工程において芯線６１の広がりを抑制することができる。
【００７０】
［実施形態の第３変形例］
実施形態の第３変形例について説明する。電線接続部１２は、第一の溝２７を有していなくてもよい。第一の突起２５は、第二止水部２２が貼り付けられる領域よりも後側に形成されてもよい。平面視における第一の突起２５の形状は、例示したものには限定されない。
【００７１】
上記の実施形態および変形例に開示された内容は、適宜組み合わせて実行することができる。
【符号の説明】
【００７２】
１  圧着端子（端子）
４  端子付き電線
１０  端子金具
１１  端子接続部
１１ａ  側壁
１２  電線接続部
１２Ａ  芯線圧着部
１２Ｂ  被覆圧着部
１２Ｃ  連結圧着部
１２ｉ  内側面
１３  連結部
１３ａ  側壁
１４  底部
１４Ａ  前部
１４Ｂ  中間部
１４Ｃ  後部
１５  第一バレル片部（第一の加締片）
１５ａ  先端
１６  第二バレル片部（第二の加締片）
１６ａ  先端
１７  セレーション領域
１７ａ  凹部
２０  止水材
２１  第一止水部
２２  第二止水部
２３  第三止水部
２５  第一の突起（突起）
２５ａ  湾曲部
２５ｆ  前端
２５ｒ  後端
２６  第二の突起
２６ｆ  前端
２７  第一の溝
２８  第二の溝
２９  第三の溝
５０  クリンパ
５０ａ  加締め部
５１  第一壁面
５２  第二壁面
５３  第一裾部
５４  第一中間部
５５  第一弧状部
５６  第二裾部
５７  第二中間部
５８  第二弧状部
５９  傾斜面
６０  電線
６１  芯線
６１ａ  先端
６２  被覆
１００  端子圧着装置
Ｌ１  距離
Ｌ  第一方向
Ｗ  第二方向
Ｈ  第三方向
【図１】
2019029237.tif 000003
【図２】
2019029237.tif 000004
【図３】
2019029237.tif 000005
【図４】
2019029237.tif 000006
【図５】
2019029237.tif 000007
【図６】
2019029237.tif 000008
【図７】
2019029237.tif 000009
【図８】
2019029237.tif 000010
【図９】
2019029237.tif 000011
【図１０】
2019029237.tif 000012
【図１１】
2019029237.tif 000013